(57)【要約】      （修正有）【課題】栽培物に音楽をより確実に聴かせることができる栽培装置を提供する。【解決手段】栽培装置１００は、植物の水耕栽培が可能な複数の容器２と、当該栽培装置１００の側部１ｂの少なくとも二方に配置される網戸１ｃと、内部に銅イオンを発生させる銅板を有し、各容器２に培養液を供給する培養液槽５と、各容器２に取り付けられる骨伝導スピーカ３と、を有する。【選択図】図１
0003222924.tif 000002
【実用新案登録請求の範囲】
【請求項１】
植物の水耕栽培が可能な複数の容器と、
当該栽培装置の側部の少なくとも二方に配置される網戸と、
内部に銅イオンを発生させる銅板を有し、前記各容器に培養液を供給する培養液槽と、
前記各容器に取り付けられる骨伝導スピーカと、
を有することを特徴とする栽培装置。
【請求項２】
骨伝導スピーカ毎に異なる音楽を再生させる音源サーバ装置をさらに有する請求項１に記載の栽培装置。
【請求項３】
前記容器は、
筐体と、
液体を隔てて前記筐体内に配置され、前記培養液が供給され、前記培養液に前記骨伝導スピーカが浸される水槽とを有している請求項１または２に記載の栽培装置。
【考案の詳細な説明】
【技術分野】
【０００１】
本考案は栽培装置に関する。
【背景技術】
【０００２】
貯留養液を栽培しようとする植物の根基に循環させ、植物に吸収させて育成させる水耕栽培が知られている。例えば、栽培容器にスピーカを内蔵し、音楽を再生する方法が知られている。
【先行技術文献】
【特許文献】
【０００３】
【特許文献１】特開２０１５−２７０７号公報
【考案の概要】
【考案が解決しようとする課題】
【０００４】
栽培物（野菜等）が複数種類存在する場合に、栽培物毎に音楽・音声・音言葉等の音源（以下「音楽」と言う）を独立して聴かせる場合を考える。
開放された空間において複数のスピーカから音楽を流すと、音が混ざり、本来聞かせたい音楽を、種類が異なる栽培物毎に聴かせられない可能性がある。
また、室内の温度が高くなると、栽培物の生育が悪くなってしまう。
１つの側面では、本考案は、開放された狭い空間に栽培されている栽培物の生育を向上させることを目的とする。
【課題を解決するための手段】
【０００５】
上記目的を達成するために、開示の栽培装置が提供される。この栽培装置は、植物の水耕栽培が可能な複数の容器と、当該栽培装置の側部の少なくとも二方に配置される網戸と、内部に銅イオンを発生させる銅板を有し、各容器に培養液を供給する培養液槽と、各容器に取り付けられる骨伝導スピーカと、を有している。
【考案の効果】
【０００６】
１態様では、開放された狭い空間に栽培されている栽培物の生育を向上させることができる。
【図面の簡単な説明】
【０００７】
【図１】実施の形態の栽培装置を示す図である。
【図２】容器を説明する図である。
【図３】容器内部を説明する図である。
【図４】骨伝導スピーカを説明する図である。
【図５】銅板を説明する図である。
【考案を実施するための形態】
【０００８】
以下、実施の形態の栽培装置を、図面を参照して詳細に説明する。
＜実施の形態＞
図１は、実施の形態の栽培装置を示す図である。
実施の形態の栽培装置１００は、建物１と、建物１内に設けられ複数の畝を形成する容器２とを有している。なお、図１には図示していないが、栽培装置１００は空調設備や光量調整設備等を有していても良い。空調設備を設けることにより、特に夏の高温に対し、建物１内の温度を下げることができる。
建物１の形状は一例であり、頂部１ａの材質は、ビニールハウス等であってもよいし、屋根で覆われた空間を形成するものであってもよい。
【０００９】
建物１は、側部１ｂが網戸１ｃで覆われており、開放された空間を形成している。なお、本実施の形態では、側部の四方、例えば紙面手前側の側部も網戸で覆われているが、図１では説明のため、網戸の図示を省略し、内部を透過して示している。網戸の目は１例として２ｍｍである。これにより、一定以上の大きさの害虫の建物１内への侵入を抑制することができる。また、風通しを良くすることにより、建物１に病原菌の繁殖を抑制している。なお、網戸が配置される側部は四方に限定されず、いずれか三方または、対向する二方であってもよい。
この建物１は、栽培物を風雨や霜等から守ったり、温度や湿度を一定に保ったりする機能を有している。
【００１０】
容器２は、所定の間隔を隔てて複数個（図１では６個）配置されている。各容器２は、水と液体肥料（養液）で植物を栽培する水耕栽培が可能になっており、内部に液体を貯留することができる。植物としては例えば花、野菜、果実、稲や麦等の穀物が挙げられる。
【００１１】
各容器２には、異なる種別の植物を栽培することができる。例えば、図１に示す例では容器２ａには、イチゴが栽培されている。容器２ｂにはナスが栽培されている。容器２ｃには、トマトが栽培されている。
【００１２】
また、各容器２には、培養液槽５から培養液が供給される。培養液槽５内は、栽培しようとする植物の生育に適した所定の温度に保たれている。また、培養液槽５内には、銅板が配置されている。この銅板には、導線により電流が流れており、銅が電解するようになっている。これにより、培養液に銅イオンが添加される。銅イオンの殺藻能力により、培養液に藻が発生することを抑制することができる。
なお、銅板の代わりに鉄板を用いてもよい。この場合は、培養液に鉄イオンが添加される。
【００１３】
図２は、容器を説明する図である。
容器２は、樹脂製の筐体２１と、蓋部２２とを有している。蓋部２２は、例えば分離可能な複数のベニヤ板２２ａを並べて形成することができる。
ベニヤ板２２ａの植物の茎部分に対応する部位には切り欠き２２ｂが設けられている。
【００１４】
図３は、容器内部を説明する図である。図３では蓋部２２の一部を取り外している。
筐体２１の内部には、培養液槽５から供給される培養液が張られた水槽２３が配置されている。水槽２３の構成材料としては、ステンレス鋼等の耐食性が高く音源を伝え易いものが好ましい。
【００１５】
筐体２１と水槽２３との間には水（液体）が配置されている。これにより、水槽２３は筐体２１の上に浮いている。筐体２１と水槽２３との間に水を配置することにより、植物の根部分の温度変化が緩やかになっている。また、植物は筐体２１に直接触れていないので、筐体２１から液体に溶け出す微量の樹脂を植物が吸収することを抑制することができる。筐体２１には、図示しないヒーターが配置されていてもよい。
【００１６】
図４は、骨伝導スピーカを説明する図である。
水槽２３内には、骨伝導スピーカ３が設けられている。骨伝導スピーカ３は、音源信号を振動に変換し、水槽２３に伝達する。図４では、容器２毎に１つの骨伝導スピーカ３が設けられている。１つの容器２に設けられる骨伝導スピーカ３の数は、図示のものに限定されず、２つ以上であってもよい。
【００１７】
骨伝導スピーカ３は、内部に水分が入らないよう、例えば金属製の密封体３１により密封されている。密封体３１は、培養液に浸されている。密封体３１の下部には銅板３２が設けられている。密封体３１の下部に銅板３２を配置することで、より広い範囲に音を伝導させることができる。
【００１８】
図５は、銅板を説明する図である。
図５に示すように、銅板３２は、水面５０下（水中）に配置される。銅板３２は、側面視でコの字型をなしている。このため、銅板３２と水槽２３との間で銅の表面積を増やして、伝導効果を向上させる可能性がある。
【００１９】
また、各容器２には、図示しない音源信号受信装置が設けられている。これらの音源信号受信装置は、同一の容器２に設けられた骨伝導スピーカ３から同じ音楽を再生させる。
なお、骨伝導スピーカ３への電源供給は有線で行っても良いし、ワイヤレスで行っても良い。再び図１に戻って説明する。
栽培装置１００は、音源サーバ装置４を有している。
【００２０】
音源サーバ装置４は、近距離通信信号（例えばｗｉ−ｆｉや、Ｂｌｕｅｔｏｏｔｈ（登録商標）等）を用いて音源信号受信装置に音源信号を伝送する。Ｂｌｕｅｔｏｏｔｈ（登録商標）を利用することにより、骨伝導スピーカ３を収める密封体３１の防水性を高められ、骨伝導スピーカ３を湿気で痛める度合いを相当低くすることが期待できる。
【００２１】
音源サーバ装置４は、音源信号受信装置毎に異なる音楽を伝送することができる。例えば、容器２ａに設けられた音源信号送受信装置には、モーツァルトが作曲した音楽を伝送し、容器２ｂに設けられた音源信号送受信装置には、ベートーベンが作曲した音楽を伝送し、容器２ｃに設けられた音源信号送受信装置にはシューベルトが作曲した音楽を伝送することができる。なお、伝送する音楽の種別は特に限定されず、クラシック音楽以外にもジャズやポップス、お経等、種々の音楽を聴かせることができる。これらの音楽が骨伝導スピーカ３により再生されることで、各容器２の植物に音楽を聴かせることができる。骨伝導スピーカ３を用いることで、既存の空気式伝導によるスピーカに比べ音が混ざった場合においても植物に対しより確実に音楽を伝達させることができる。また、蓋部２２を配置することにより、外部に音楽が漏れにくくなっている。
【００２２】
以上、本考案の栽培装置を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００２３】
１  建物
２  容器
３  骨伝導スピーカ
３１  密封体
３２  銅板
４  音源サーバ装置
５  培養液槽
１００  栽培装置
【図１】
0003222924.tif 000003
【図２】
0003222924.tif 000004
【図３】
0003222924.tif 000005
【図４】
0003222924.tif 000006
【図５】
0003222924.tif 000007